(57)【特許請求の範囲】
【請求項１】
ケース上及びケース下が嵌合されて構成される電子機器において、非常ボタン、電気錠解錠ボタン等の各種ボタンを取り付けるにあたり、前記ケース上は、背面に基板が取り付けられ、前面に前記ボタンを挿入するための開口部を備え、前記ボタンは、前記開口部に取り付けて固定するための係止突起を有し、前記開口部には、前記係止突起を挿入するための係止突起挿入部と、前記係止突起挿入部に挿入し、押圧させて回動させたとき前記係止突起が嵌まり込む係止突起嵌合部を備え、前記係止突起が前記係止突起嵌合部に嵌合させるにあたり、当該係止突起の押上げ力により撓む成形バネを前記ケース上から延設されて構成したことを特徴とする電子機器のボタン取付構造。
【請求項２】
前記係止突起及び前記成形バネのそれぞれの端部は、押上げ力を増長させるために傾斜部を有し、当該傾斜部は、当接した状態から摺動させることができるように当接面を平行に構成したことを特徴とする請求項１記載の電子機器のボタン取付構造。
【請求項３】
前記ケース上には、前記成形バネを覆隠させるようパネルが貼付し、前記成形バネの弾性力を抑止することを特徴とする請求項１又は請求項２記載の電子機器のボタン取付構造。
【発明の詳細な説明】
【技術分野】
【０００１】
本発明は、電子機器のボタン取付構造に係り、特に組立作業者にとって、ボタンの組立作業を行いやすい電子機器のボタン取付構造に関する。
【背景技術】
【０００２】
従来から、電子機器のボタン取付構造として、ケース上の裏面側からボタンを挿入し、さらにバネをかませて基板で挟み込むことにより固定しているものがあった。バネが基板に当たることでケース上側に弾性力を生じさせることができるため、ボタン操作が正常におこなうことができるような構造であった。
【先行技術文献】
【特許文献】
【０００３】
【特許文献１】特開２００４−２８８４３８号公報
【発明の開示】
【発明が解決しようとする課題】
【０００４】
しかしながら、従来例の電子機器のボタン取付構造においては、ボタンをケースに組み付ける際に、バネを基板で抑えつつ、基板とケース上をビス止めして固定していたため、組立作業者はバネによる弾性力を抑えながら組み立てる必要ガあり、作業がしにくいものであった。
また、バネの弾性力を抑えるため、基板で強く押さえ込んだ状態で固定するため、基板が破損してしまう虞があった。
本発明は、上述の難点を解消するためになされたもので、ケース上表面側からボタンを挿入し固定する構造とし、基板を抑えることなくボタンを取り付けることを可能とした電子機器のボタン取付構造を提供することを目的としている。
【課題を解決するための手段】
【０００５】
上述の目的を達成するため、本発明の第１の態様である電子機器のボタン取付構造は、ケース上及びケース下が嵌合されて構成される電子機器において、非常ボタン、電気錠解錠ボタン等の各種ボタンを取り付けるにあたり、ケース上には、ボタンを挿入するための開口部を備え、ボタンは、開口部に取り付けて固定するための係止突起を有し、開口部には、係止突起を挿入するための係止突起挿入部と、係止突起挿入部に挿入し、押圧させて回動させたとき係止突起が嵌まり込む係止突起嵌合部を備えたことを特徴とする。
【０００６】
本発明の第２の態様である電子機器のボタン取付構造は、開口部には、係止突起が係止突起嵌合部に嵌合させるにあたり、当該係止突起の押上げ力により撓む成形バネをケース上から延設されて構成したことを特徴とする。
【０００７】
本発明の第３の態様である電子機器のボタン取付構造は、係止突起及び成形バネのそれぞれの端部は、押上げ力を増長させるために傾斜部を有し、当該傾斜部は、当接した状態から摺動させることができるように当接面を平行に構成したことを特徴とする。
【０００８】
本発明の第４の態様である電子機器のボタン取付構造は、ケース上には、成形バネを覆隠させるようパネルが貼付し、成形バネの弾性力を抑止することを特徴とする。
【発明の効果】
【０００９】
本発明の電子機器のボタン取付構造によれば、基板を取り付けた状態でケース上表面側からボタンを挿入し固定する構造としているので、取付作業時に基板を抑えることなくボタンの取り付けを可能としている。また、使用時にボタンが外れるのを防止する構造としている。
【図面の簡単な説明】
【００１０】
【図１】本発明における電子機器のボタン取付構造における全体斜視図である。
【図２】本発明における電子機器のボタン取付構造における分解斜視図である。
【図３】本発明における電子機器のボタン取付構造における拡大斜視図である。
【図４】本発明における電子機器のボタン取付構造における部分斜視図である。
【発明を実施するための最良の形態】
【００１１】
以下、本発明の電子機器のボタン取付構造を適用した最良の実施の形態例について、図面を参照して説明する。
図１は、本発明の電子機器のボタン取付構造が採用されるインターホン親機の斜視図である。
インターホン親機１は、ケース上１０とケース下２０とが嵌合されて構成され、さらにケース上には、プレート３０が貼付されている。また、来訪者が居住者を呼び出したとき応答するための通話ボタン１１、通話を終了するときに、またはインターホンの各種設定を修了させるための終了ボタン１２、来訪者と通話するためのマイク及びスピーカから構成される通話部１３、図示しない玄関子機のカメラで撮像された来訪者の映像又は玄関周辺の映像を出画するためのモニタ１４、体調不良時や侵入者がいる場合などに外部若しくは内部に警報発報するための非常ボタン１５等を備えている。
【００１２】
このように構成された本実施例においては、非常ボタン１５を取り付けるための構造について詳述する。
図２は、非常ボタン１５を取り付けるための構造を示す分解斜視図である。
ケース上１０には、非常ボタン１５を挿入するための開口部１０１を備え、その他、非常ボタン１５に弾性力をもたせるためのバネ１６、裏面側でバネ１６が当接し、電子部品が搭載される基板１７、ケース上１０と基板１７とを固定するためのビス１８とから構成されている。
【００１３】
図３は、非常ボタン１５の斜視図である。
非常ボタン１５は、ケース上１０の開口部１０１に取り付けて固定するための係止突起１５１を四方に４つ有しており、当該係止突起は固定しやすく外れにくい構造とするためのボタン側傾斜部１５２を備えている。
【００１４】
図４は、ケース上１０の開口部１０１の拡大斜視図である。
非常ボタンを取り付けるための開口部１０１は、係止突起１５１が挿入される係止突起挿入部１０５を四方に有し、また、当該係止突起挿入部の入り口には、非常ボタン１５を回動させて係止突起１５１が嵌まり込む係止突起嵌合部１０２をそれぞれ有している。係止突起嵌合部１０２には、非常ボタン１５の係止突起１５１が係止突起嵌合部１０２に嵌まり込む際に係止突起１５１のボタン側傾斜部１５２の作用によって撓む成形バネ１０３を備えている。成形バネ１０３の先端には、非常ボタン１５を回動させることで嵌り込む際に非常ボタン１５のボタン側傾斜部１５２の傾斜面と接合する成形バネ側傾斜部１０４を備えており、非常ボタン１５が嵌り込む際には、成形バネ１０３が撓みやすく、逆に外れる方向の場合には撓みにくい構造となっている。
【００１５】
このように構成された電子機器のボタン取付構造において、以下、組み立てについて説明する。
【００１６】
まず、基板１７をケース上１０にネジ１８を用いて固定する。この状態において、バネ１６をケース上１０の前面側から開口部１０１に取り付ける。その上から非常ボタン１５を挿入する。ここで、非常ボタン１５を開口部１０１に取り付けるにあたり、非常ボタン１５の四方にある係止突起１５１をケース上１０の係止突起挿入部１０５にあわせて挿入する。そして、非常ボタン１５をケース上裏面側に押し込んで回転させると係止突起１５１のボタン側傾斜部１５２がケース上１０の成形バネ１０３にある成形バネ側傾斜部１０４を押し上げて撓み、成形バネ１０３を乗り越えて係止突起１５１が係止突起嵌合部１０２に嵌り、押し込みを解除するとバネ１６の復元力により非常ボタン１５がケース上１０に固定される。
【００１７】
なお、非常ボタン１５を外す側に回動させてもボタン側傾斜部１５２及び成形バネ側傾斜部１０４が接合することがないため外れにくい構造となっている。
また、取り付け完了後には、ケース上１０にプレート３０が貼り付けられるため、成形バネ１０３の弾性がなくなり（ケース上１０の表面側への弾性力がなくなり）、より強固に固定することができる。
本実施例においては、非常ボタンの取り付けについて説明したが、他のボタンであっても同様に効果を奏する。
【符号の説明】
【００１８】
１・・・           インターホン親機
１０・・・         ケース上
２０・・・         ケース下
３０・・・         プレート
１５・・・         非常ボタン
１５・・・         バネ
１７・・・         基板
１５１・・・              係止突起
１０１・・・              開口部
１０２・・・              係止突起嵌合部
１０５・・・              係止突起挿入部
【図１】
0005485057.tif 000002
【図２】
0005485057.tif 000003
【図３】
0005485057.tif 000004
【図４】
0005485057.tif 000005